【事件の表示】
　特許第３３４１７５６号「電子部品実装方法」の請求項１に係る特許に対する特許異議の申立てについて、次のとおり決定する。
【結　論】
　特許第３３４１７５６号の請求項１に係る特許を維持する。
【理　由】
１．手続の経緯
　本件特許異議申立てに係る特許は、平成１４年８月２３日に登録され、同年１１月５日に特許公報が発行されたところ、平成１５年４月２１日に味村健士より、本件特許は特許法第２９条第２項の規定により特許を受けることができない旨の特許異議の申立てがなされたものである。
　
２．本件発明
　本件特許の請求項１に係る発明（以下、「本件発明」という。）は、特許請求の範囲の請求項１に記載された次のものである。
　
　「【請求項１】パーツフィーダをピッチをおいて並設し、また移載ヘッドに前記ピッチの整数倍のピッチをおいて少なくとも３本以上のノズルを備え、移載ヘッドを移動テーブルにより水平方向へ移動させながら、これらのノズルにより複数個のパーツフィーダの電子部品をピックアップして位置決め部に位置決めされた基板に移送搭載する電子部品実装方法であって、
複数個のノズルに同時に上下動作を行わせてパーツフィーダの電子部品をピックアップした後、これらのノズルについてピックアップミスの有無をピックアップミス検出手段により検出し、ピックアップミスがあった場合には、ピックアップミス率記憶部に記憶されたそのパーツフィーダのピックアップミス率を更新し、パーツフィーダ毎のピックアップミス率を読み取りながら電子部品の実装を行うようにし、またピックアップミス率がしきい値を越えるパーツフィーダがあれば、そのパーツフィーダの電子部品のピックアップは中止してしきい値を越えていないパーツフィーダの電子部品のみをピックアップし、ピックアップを中止したパーツフィーダの電子部品については、移載ヘッドのノズルを移動させてこのノズルをそのパーツフィーダのチップのピックアップ位置に一致させてピックアップするようにしたことを特徴とする電子部品実装方法。」
　
３．甲各号証に記載の事項
　これに対し、特許異議申立人が甲第１号証及び甲第２号証として示した刊行物には以下の事項が記載されている。
　
甲第１号証：実公平７−１９２００号公報
　
　「部品搭載装置」に関するものであって、以下の事項が記載されている。
（イ）「【請求項１】複数種の部品を吸着する真空吸着ノズルと、
この真空吸着ノズルが上記部品を吸着するために上記部品に接触してから上記部品を引き上げるまでの吸着時間を各部品毎に設定する吸着時間設定手段と、
この吸着時間設定手段により設定した上記吸着時間に基づいて上記真空吸着ノズルを上記部品に対して進退移動する吸着ノズル駆動手段と、
この吸着ノズル駆動手段が上記真空吸着ノズルにより上記部品を吸着したときの吸着ミスを検出する吸着ミス検出手段と、
この吸着ミス検出手段により検出した上記吸着ミスをカウントすることで吸着ミス率を算出し、この算出した吸着ミス率が予め設定された範囲の下限値以下であれば上記吸着時間設定手段の吸着時間を短く設定し、上記吸着ミス率が該予め設定された範囲の上限値以上であれば上記吸着時間設定手段の吸着時間を長く設定させる制御手段と、
を具備したことを特徴とする部品搭載装置。」
　
（ロ）「［従来技術とその問題点］
従来、プリント基板にチップ抵抗、チップコンデンサ、ICチップ等のチップ部品を自動的に搭載する部品搭載装置が知られている。この部品搭載装置は、例えば部品供給カセットに巻かれた部品キャリア・テープからチップ部品を真空吸着ノズルにより吸着して移送し、プリント基板の所定位置に搭載するものである。
そして、上記部品搭載装置が部品を吸着する場合は、真空吸着ノズルを部品に接触してから真空吸着を開始し、真空吸着ノズルの真空度が所定レベルまで上昇する所定時間後に真空吸着ノズルを引上げてチップ部品をピックアップするものである。」（第１頁第２欄第９行〜第２頁第３欄第５行）
　
（ハ）「［考案の要点］
この考案は各部品毎に吸着時間を設定し、真空吸着ノズルにより部品を吸着したときの吸着ミスを検出し、吸着ミス率が下限値以下であれば吸着時間設定手段の吸着時間を短く設定させ、吸着ミス率が上限値以上であれば、吸着時間設定手段の吸着時間を長く設定させるようにしたことを特徴とする。」（第２頁第３欄第２１行〜第２７行）
　
（ニ）「従って、部品の種類が複数あれば第２図の吸着時間の自動設定処理を各部品毎に実行するものである。」（第２頁第４欄第２５行〜第２７行）
　
　上記（イ）〜（ニ）の記載及び公報の全体の記載からみて、甲第１号証には、電子部品を部品キャリア・テープ（本件特許のパーツフィーダに相当。）から吸着ノズルによりピックアップして基板に移送搭載する装置又は方法であって、電子部品のピックアップ後にピックアップミスを検出し、部品毎に記憶された吸着ミス回数から吸着ミス率を演算するとともに、当該吸着ミス率に応じて吸着時間を部品毎に設定するものが記載されていると認められる。
　
甲第２号証：実開平２−５６４９９号公報
　
　「電子部品自動取上げ装置」に関するものであって、以下の事項が記載されている。
（ホ）「【実用新案登録請求の範囲】
  多数の電子部品を夫々同時に所定の間隙を保つて取上げ位置へ給送する部品給送手段と、前記取上げ位置に並置された電子部品の複数個を同時に取上げる複数個の取上げヘツドを備えた部品取上げ手段と、前記部品取上げ手段を前記電子部品の並置方向に沿つて移動させる駆動手段と、前記電子部品個々の前記部品取上げ手段に対する相対位置を検出する相対位置検出手段と、前記相対位置から複数の電子部品を同時吸着可能な前記部品取上げ手段の最適位置を算出し、該最適位置に前記部品取上げ手段を移動させる駆動信号を前記駆動手段に送る演算制御手段とを有することを特徴とする電子部品自動取上げ装置。」
　
４．対比・判断
　本件発明と甲第１号証に記載のものとを対比すると、両者は、パーツフィーダを有し、ノズルを移動させながらパーツフィーダの電子部品をピックアップして基板に移送搭載する電子部品実装方法であって、パーツフィーダの電子部品をピックアップした後、ピックアップミスの有無を検出し、ピックアップミス率に応じてその後の処理内容を変更する点で共通するものの、本件特許における「パーツフィーダをピッチをおいて並設し、また移載ヘッドに前記ピッチの整数倍のピッチをおいて少なくとも３本以上のノズルを備え」、「複数個のノズルに同時に上下動作を行わせてパーツフィーダの電子部品をピックアップした後、これらのノズルについてピックアップミスの有無をピックアップミス検出手段により検出し、ピックアップミスがあった場合には、ピックアップミス率記憶部に記憶されたそのパーツフィーダのピックアップミス率を更新し、パーツフィーダ毎のピックアップミス率を読み取りながら電子部品の実装を行うようにし、また
ピックアップミス率がしきい値を越えるパーツフィーダがあれば、そのパーツフィーダの電子部品のピックアップは中止してしきい値を越えていないパーツフィーダの電子部品のみをピックアップし、ピックアップを中止したパーツフィーダの電子部品については、移載ヘッドのノズルを移動させてこのノズルをそのパーツフィーダのチップのピックアップ位置に一致させてピックアップする
　
　そこで甲第２号証についてみれば、パーツフィーダをピッチをおいて並設し、また移載ヘッドに前記ピッチの整数倍のピッチをおいて少なくとも３本以上のノズルを備えた構成及び吸着ミスをなくすようノズル全体を最適位置に移動させる構成についてのは記載はあるものの、
ピックアップミス率がしきい値を越えるパーツフィーダがあれば、そのパーツフィーダの電子部品のピックアップは中止してしきい値を越えていないパーツフィーダの電子部品のみをピックアップし、ピックアップを中止したパーツフィーダの電子部品については、移載ヘッドのノズルを移動させてこのノズルをそのパーツフィーダのチップのピックアップ位置に一致させてピックアップする
　
　本件特許は、３本以上のノズルを備える電子部品実装方法において、
「【０００４】
【発明が解決しようとする課題】ところが、複数本のノズルで複数個のパーツフィーダのチップを同時にピックアップする方式の電子部品実装装置は、１本のノズルで１個のパーツフィーダのチップをピックアップする方式の電子部品実装装置と比較して、チップのピックアップミスの発生率が高い。その原因は、主として以下に述べる理由による。
【０００５】すなわち、この種電子部品実装装置は、複数本のノズルで複数個のパーツフィーダのチップを同時にピックアップできるように、複数本のノズルのピッチはパーツフィーダのピッチの整数倍に設定される。ところが移載ヘッドへのノズルの組付け誤差やパーツフィーダの組立誤差や並設誤差などの様々な誤差のために、ノズルのピッチはパーツフィーダのピッチ（正確には、パーツフィーダのチップのピックアップ位置のピッチ）の厳密な整数倍にはならず、若干のピッチ誤差が生じるのは避けられない。そしてこのピッチ誤差のために、複数本のすべてのノズルはパーツフィーダのチップを同時にピックアップできず、ピックアップミスを発生しやすいものであった。」（本件特許公報）
との課題があったところ、
「【０００６】したがって本発明は、複数本のノズルにより複数個のパーツフィーダのチップをピックアップするようにした電子部品実装方法において、チップのピックアップミスを解消できる電子部品実装方法を提供することを目的とする。」（同）
として発明されたものであり、甲第１号証、甲第２号証のいずれにも記載のない、上記「
ピックアップミス率がしきい値を越えるパーツフィーダがあれば、そのパーツフィーダの電子部品のピックアップは中止してしきい値を越えていないパーツフィーダの電子部品のみをピックアップし、ピックアップを中止したパーツフィーダの電子部品については、移載ヘッドのノズルを移動させてこのノズルをそのパーツフィーダのチップのピックアップ位置に一致させてピックアップする
　よって、当該構成の記載も示唆もされていない甲第１号証、甲第２号証の記載事項からは、この発明の属する分野において通常の知識を有する者が容易に発明し得たということはできない。
　
５．むすび
　上記のとおり、本件特許の請求項１に係る発明は特許異議申立人の示した甲第１号証、甲第２号証に記載の発明に基づきこの発明の属する分野において通常の知識を有する者が容易に発明ができたということはできず、本件特許異議申立てに理由はないから、結論のとおり決定する。
【異議決定日】
平成１７年５月２４日（２００５．５．２４）